(57)【要約】【課題】施工作業性に優れ、部材の使用点数が少なく、固定箇所も少なく、外装材の取付に関して微調整を可能とした縦葺き外装構造、及びその施工方法を提供する。【解決手段】本発明は、左右に隣接する縦葺き外装材１，１をその裏面側に排水部材２及び固定部材３を配設して接続する縦葺き外装構造であって、前記固定部材３は、下地４への固定部３１と保持部３２１とを有し、前記排水部材２は、排水空間２１と被保持部２２と弾性変形部２３とを有し、前記下地４に固定した固定部材３に前記排水部材２を弾性変形した状態で保持させ、前記排水部材２と前記固定部材３の少なくとも一方に設けた取付部分（２５）に、前記縦葺き外装材１を取り付けてなることを特徴とする。【選択図】図１
2010281172.tif 000002
【特許請求の範囲】
【請求項１】
左右に隣接する縦葺き外装材をその裏面側に排水部材及び固定部材を配設して接続する縦葺き外装構造であって、
前記固定部材は、下地への固定部と保持部とを有し、
前記排水部材は、排水空間と被保持部と弾性変形部とを有し、
前記下地に固定した固定部材に前記排水部材を弾性変形した状態で取り付け保持させ、前記排水部材と前記固定部材の少なくとも一方に設けた取付部分に、前記縦葺き外装材を取り付けてなることを特徴とする縦葺き外装構造。
【請求項２】
固定部材は、左右の側片と、該側片間に位置する下地への固定部と、保持部とを備えることを特徴とする請求項１の縦葺き外装構造。
【請求項３】
排水部材の弾性変形部は、排水空間の底面部又は側面部であることを特徴とする請求項１又は２に記載の縦葺き外装構造。
【請求項４】
排水部材の排水空間の底面部には、上方へ湾曲する弧状部分が形成されていることを特徴とする請求項１〜３の何れか一項に記載の縦葺き外装構造。
【請求項５】
左右に隣接する縦葺き外装材をその裏面側に排水部材及び固定部材を配設して接続する縦葺き外装構造の施工方法であって、
前記固定部材は、下地への固定部と保持部とを有し、
前記排水部材は、排水空間と被保持部と弾性変形部とを有し、
前記固定部材を下地に固定する第１の工程と、固定した固定部材に前記排水部材を弾性変形した状態で保持させる第２の工程と、前記排水部材と前記固定部材の少なくとも一方に設けた取付部分に、前記縦葺き外装材を取り付ける第３の工程とを含むことを特徴とする縦葺き外装構造の施工方法。
【発明の詳細な説明】
【技術分野】
【０００１】
本発明は、施工作業性に優れ、部材の使用点数が少なく、固定箇所も少なく、外装材の取付に関して微調整を可能とした縦葺き外装構造、及びその施工方法に関する。
【背景技術】
【０００２】
従来、平坦状の屋根面を構築する屋根構造としては、隣り合う屋根材の接続部分からの浸水を考慮して種々の提案がなされている。
【０００３】
例えば特許文献１には、屋根板５１自体に凹入部５４（排水溝）を設け、基枠２２（吊子）、支持枠３１、蓋板４１といった接続部材の組み付け部分から浸入する雨水を前記排水溝に導く構造が記載されている。前記吊子２２は、墨出し線に沿うように配した状態で略中央にボルト５６を打ち込んで固定している。
また、特許文献２には、吊子と排水部材とを一体化した連結枠１１を、左右側縁にねじ１５を打ち込んで下地に固定し、前記連結枠１１の樋部１３の内部に屋根材５，５の端縁を臨ませる構造が記載されている。
また、特許文献３も、吊子と排水部材とを一体化した接続排水部材４を用いる構造であって、接続排水部材４は押出成形品からなる。前記接続排水部材４は、左右側縁にボルト１６を打ち込んで固定している。
また、特許文献４には、樋部材３（排水部材）を受け部材６（下部吊子）と吊り部材４（上部吊子）で挟み込んで固定し、下地には前記受け部材６の中央を止着具５にて固定する構成が記載されている。
また、特許文献５には、内樋７（排水部材）を跨ぐように吊子１を配して左右側縁に固定具６を打ち込んで固定し、該吊子１により左右の屋根板８，８を接続する構造が記載されている。
【先行技術文献】
【特許文献】
【０００４】
【特許文献１】特開平７−３１０４０４号公報
【特許文献２】特許第２７８１９５５号公報
【特許文献３】特許第２５０００５４号公報
【特許文献４】特許第３５０１７０３号公報
【特許文献５】特公平７−４２７８９号公報
【発明の概要】
【発明が解決しようとする課題】
【０００５】
しかしながら、前記特許文献１の構造では、接続部材の部材点数が多く、取り付けに関して多数の作業を必要とするため、このような多数の部材を作製する手間も取付作業も面倒であった。また、屋根板５１を敷設した状態で接続部材の取付作業を行う必要があるため、極めて作業性が悪いものであった。
また、前記特許文献２，３の構造では、吊子と排水部材とを一体化した部材（連結枠１１及び接続排水部材４）を固定する際に、部材自身により墨出し線が見えなくなるため、正確な取り付けが困難であった。さらに、この部材自体に無駄が多く、且つ構成が複雑であるため、この部材の作製コストが高いものであった。
また、前記特許文献４では、吊子が上下二部材から構成されるため、これらの部材の作製コストが極めて高く、またその取付作業も面倒であった。
また、前記特許文献５では、排水部材を跨ぐように吊子を固定するため、最初に排水部材を仮止め（仮置き）する際に、部材自身により墨出し線が見えなくなるため、正確な取り付けが困難であった。
さらに、前記特許文献１〜３，５は、吊子の左右側縁に固定具を打ち込んで下地に固定する構造であるため、固定箇所が多く、また屋根材の取付などに際して微調整ができず、屋根材の取付に支障を及ぼす恐れもあった。
そこで、本発明は、前述の問題を解消でき、施工作業性に優れ、部材の使用点数が少なく、固定箇所も少なく、外装材の取付に関して微調整を可能とした縦葺き外装構造を提案することを目的とする。
【課題を解決するための手段】
【０００６】
本発明は、上記に鑑み提案されたもので、左右に隣接する縦葺き外装材をその裏面側に排水部材及び固定部材を配設して接続する縦葺き外装構造であって、前記固定部材は、下地への固定部と保持部を有し、前記排水部材は、排水空間と被保持部と弾性変形部とを有し、前記下地に固定した固定部材に前記排水部材を弾性変形した状態で取り付け保持させ、前記排水部材と前記固定部材の少なくとも一方に設けた取付部分に、前記縦葺き外装材を取り付けてなることを特徴とする縦葺き外装構造に関するものである。
【０００７】
また、本発明は、前記縦葺き外装構造において、固定部材は、左右の側片と、該側片間に位置する下地への固定部と、保持部とを備えることを特徴とする縦葺き外装構造をも提案するものである。
【０００８】
また、本発明は、前記縦葺き外装構造において、排水部材の弾性変形部は、排水空間の底面部又は側面部であることを特徴とする縦葺き外装構造をも提案する。
【０００９】
また、本発明は、前記縦葺き外装構造において、排水部材の排水空間の底面部には、上方へ湾曲する弧状部分が形成されていることを特徴とする縦葺き外装構造をも提案する。
【００１０】
さらに、本発明は、左右に隣接する縦葺き外装材をその裏面側に排水部材及び固定部材を配設して接続する縦葺き外装構造の施工方法であって、前記固定部材は、下地への固定部と保持部を有し、前記排水部材は、排水空間と被保持部と弾性変形部とを有し、前記固定部材を下地に固定する第１の工程と、固定した固定部材に前記排水部材を弾性変形した状態で取り付け保持させる第２の工程と、前記排水部材と前記固定部材の少なくとも一方に設けた取付部分に、前記縦葺き外装材を取り付ける第３の工程とを含むことを特徴とする縦葺き外装構造の施工方法に関するものである。
【発明の効果】
【００１１】
本発明の縦葺き外装構造は、排水部材を弾性変形した状態で固定部材に取り付け保持させるので、下地に固定した固定部材に対し、極めて容易に排水部材を取り付けることができ、施工作業性に優れている。
また、接続に要する部材は、実質的に固定部材だけであるため、接続に要する部材の使用点数が少なく、しかも形状構成が簡易であるため、作製コストもかからない。
【００１２】
また、固定部材が、左右の側片と、該側片間に位置する下地への固定部と、保持部とを備える場合、固定箇所を中央一箇所とすることにより、固定箇所を少なくでき、固定箇所（固定具）を軸として傾けるように微調整できるため、外装材の取り付けに関してガタツキなどを解消することができる。
【００１３】
また、排水部材の弾性変形部が排水空間の底面部又は側面部である場合、余計な部材構成を増やさないので、構成が簡易である。特に弾性変形部が複数である場合、弾性変形される量や負担も複数に分担されることができ、その結果、設計も容易となるし、材料への負荷も軽減でき、取り付け作業にもほとんど力を要することがない。
【００１４】
また、排水部材の排水空間の底面部には、上方へ湾曲する弧状部分が形成されている場合には、この底面部自体を弾性変形部とすることもできるし、また固定部材の略中央を固着具にて固定する際に、その固定具の頭部を弧状部分によって形成される空間内に収容することができる。
【００１５】
さらに、本発明の縦葺き外装構造の施工方法は、固定部材を固定する第１の工程も、排水部材を取り付ける第２の工程も、縦葺き外装材を取り付ける第３の工程もそれぞれに極めて容易に行うことができるため、極めて施工作業性に優れている。
【図面の簡単な説明】
【００１６】
【図１】本発明の縦葺き外装構造の一実施例（実施例Ａ）の要部を示す正断面図である。
【図２】（ａ）図１の縦葺き外装構造に用いた外装材を示す正断面図、（ｂ）カバー材を示す正断面図、（ｃ）排水部材を示す正断面図、（ｄ）固定部材を示す正断面図である。
【図３】（ａ）図１の縦葺き外装構造を施工する第２の工程において、排水部材を臨ませた状態を示す正断面図、（ｂ）排水部材を固定部材に対して下降させる状態を示す正断面図、（ｃ）排水部材を取り付けた状態を示す正断面図である。
【図４】本発明の縦葺き外装構造の他の一実施例（実施例Ｂ）の要部を示す正断面図である。
【図５】（ａ）図４の縦葺き外装構造を施工する第２の工程において、排水部材を臨ませた状態を示す正断面図、（ｂ）排水部材を固定部材に対して下降させる状態を示す正断面図、（ｃ）排水部材を取り付けた状態を示す正断面図である。
【図６】本発明の縦葺き外装構造の他の一実施例（実施例Ｃ）の要部を示す正断面図である。
【図７】（ａ）図６の縦葺き外装構造を施工する第２の工程において、排水部材を臨ませた状態を示す正断面図、（ｂ）排水部材を固定部材に対して下降させる状態を示す正断面図、（ｃ）排水部材を取り付けた状態を示す正断面図である。
【図８】本発明の縦葺き外装構造の他の一実施例（実施例Ｄ）の要部を示す正断面図である。
【図９】本発明の縦葺き外装構造の他の一実施例（実施例Ｅ）の要部を示す正断面図である。
【発明を実施するための形態】
【００１７】
本発明の縦葺き外装構造は、左右に隣接する縦葺き外装材をその裏面側に排水部材及び固定部材を配設して接続するものであって、前記固定部材は、下地への固定部と保持部とを有し、前記排水部材は、排水空間と被保持部と弾性変形部とを有する構成である。
【００１８】
本発明に用いられる前記固定部材は、基本構成として、下地への固定部と保持部とを有するものであり、前記保持部とは、後述する排水部材の被保持部を保持する部位を指す。詳しくはこの固定部材は、短幅のピース材として成形されるものが用いられ、後述する排水部材の取り付けに先立って配設されるので、墨出し線に沿って適正な位置に取り付けることができる。
そして、特に限定するものではないが、後述する図示実施例のように、左右の側片と、該側片間に位置する下地への固定部と、保持部とを備える構成が、望ましい。すなわち、この場合、固定箇所を中央一箇所とすることにより、固定箇所を少なくでき、さらには固定箇所（固定具）を軸として傾けるように微調整できるため、外装材の取り付けに関してガタツキなどを解消することができる。
【００１９】
本発明に用いられる前記排水部材は、基本構成として、排水空間と被保持部と弾性変形部とを有するものであり、前記弾性変形部は、一箇所でも複数箇所でもよく、排水空間の底面部又は側面部であることが望ましい。この場合、排水空間はそもそも必須構成として存在する部位であるため、余計な部材構成を増やすことがなく、構成が簡易となる。
そして、配設時に弾性に抗して取り付ける、すなわち弾性変形部を変形させて前記被保持部を保持させることにより、敷設状態において安定な嵌合又は係合などの物理的作用が働く位置に配設する。
また、この排水部材の排水空間の底面部には、上方へ湾曲する弧状部分が形成されていることが望ましい。この場合、排水空間の底面部の裏面に空間が形成されるため、固定部材の略中央を固着具にて固定することができる。
【００２０】
なお、前記排水部材は、成形時の形状と敷設（完了）状態の形状が同じでも異なっていてもよい。すなわち配設時に弾性変形させて固定部材に保持させることができればよく、前者の場合は、敷設完了後は元の形状に回復しているために弾性は働かないが、後者の場合は敷設完了後も継続的に弾性が働くものとなる。
【００２１】
前記排水部材、前記固定部材の何れか一方、又は両方には、後述する縦葺き外装材を取り付ける取付部分が設けられている。前記取付部分とは、後述する縦葺き外装材の形状構成にも関わるものであり、少なくとも一箇所を（弾性）係合、（弾性）嵌合などの物理的作用によって取り付ける箇所を示す。
【００２２】
本発明に用いられる縦葺き外装材は、前記排水部材と前記固定部材の少なくとも一方に設けた取付部分に取り付ける取付部を備えるものであれば、特にその他の構成は限定するものではない。
そして、特に限定するものではないが、面板部を裏面側へ鈍角状に折り曲げて形成した傾斜部と、該傾斜部を内側へ鋭角状に折り返して少なくとも敷設状態において面板部と略平行状をなす導水部とを備える構成が望ましい。
【００２３】
このような各部材から構成される本発明の縦葺き外装構造は、前記排水部材を弾性変形した状態で固定部材に取り付け保持させるので、下地に固定した固定部材に対し、極めて容易に排水部材を取り付けることができ、施工作業性に優れている。また、接続に要する部材は、実質的に固定部材だけであるため、接続に要する部材の使用点数が少なく、しかも形状構成が簡易であるため、作製コストもかからない。
【００２４】
また、本発明の施工方法は、前記固定部材を下地に固定する第１の工程と、固定した固定部材に前記排水部材を弾性変形した状態で取り付け保持させる第２の工程と、前記排水部材と前記固定部材の少なくとも一方に設けた取付部分に、前記縦葺き外装材を取り付ける第３の工程とを含むものである。
【００２５】
第１の工程は、前記固定部材を下地に固定する工程であって、前述のように短幅のピース材である固定部材を墨出し線に沿って適正な位置に取り付けることは容易に実施することができる。
第２の工程は、前記排水部材を取り付ける工程であって、既に下地に固定された固定部材に嵌め込むように排水部材を弾性変形した状態で取り付け保持させることは容易に実施することができる。
第３の工程は、前記縦葺き外装材を取り付ける工程であって、前記排水部材と前記固定部材の少なくとも一方に設けた取付部分に縦葺き外装材を取り付けることは容易に実施することができる。
このように第１〜第３の工程は何れも極めて容易に行うことができるため、極めて施工作業性に優れている。
【実施例１】
【００２６】
図１に示す実施例Ａの縦葺き外装構造は、左右に隣接する縦葺き外装材（以下、単に外装材という）１Ａをその裏面側に排水部材２Ａ及び固定部材３Ａを配設して接続するものである。
【００２７】
前記外装材１Ａは、前記排水部材２Ａと前記固定部材３Ａの少なくとも一方に設けた取付部分に取り付ける取付部１７を備える構成であり、図示実施例の外装材１Ａは、図２（ａ）に示すように、略平坦状の面板部１１の側縁に段差状に折り下げられた下り段部１２が設けられ、その外側に裏面側へ鈍角状に折り曲げられた傾斜部１４が設けられている。なお、前記下り段部１２と傾斜部１４との間には、裏面側へ略Ｕ字状に屈曲された溝部１３が設けられている。また、前記傾斜部１４の下端を内側へ鋭角状に折り返して敷設状態において前記面板部１１と略平行状をなす導水部１５が設けられ、さらにその外側に外側下方へ延在させた延在部１６が設けられている。
前記傾斜部１４は、敷設状態において弾性力が働いて後述する固定部材３Ａに圧着するように形成することが望ましく、その場合、傾斜部１４は、成形時には、敷設状態よりも、より直角に近い鈍角状に成形されている。
なお、前記取付部１７とは、後述する排水部材２Ａの逆Ｖ字片部２５（取付部分）の下端に弾性的に係合する導水部１５を指す。また、図中１８は、面板部１１の裏面に添付した裏貼り材である。
【００２８】
前記排水部材２Ａは、排水空間２１と被保持部２２と弾性変形部２３とを有する構成であって、図示実施例における排水部材２Ａは、成形時の形状と敷設（完了）状態の形状が同じ例である。
また、図２（ｃ）に示すように、前記排水空間２１の側面部２１２，２１２の上端を内側へ折り曲げられて略水平状（横片部２４）に延在させ、さらにその内端を上方へ略逆Ｖ字状（逆Ｖ字片部２５）に折曲された構成である。さらに、この排水部材２Ａの排水空間２１の底面部２１１には、上方へ湾曲する弧状部分２１３が形成されているため、排水空間２１の底面部２１１の裏面に空間が形成される。
前記被保持部２２は、後述する固定部材３Ａの保持部３２により保持される前記側面部２１２，２１２の上端及び前記横片部２４を指し、前記弾性変形部２３は、前記横片部２４及び前記側面部２１２を指す。なお、前記底面部２１１も、前記横片部２４や前記側面部２１２の弾性変形に伴って変形するので、厳密には弾性変形部２３である。
【００２９】
前記固定部材３Ａは、下地４への固定部３１と保持部３２１とを有する構成であり、図示実施例の固定部材３Ａは、図２（ｄ）に示すように、左右の側片３２，３２と、該側片３２，３２間に位置する底片（３１）にて構成されるピース材であって、前記保持部３２１とは、側片３２，３２から内側に突出する爪状片を指す。なお、図中、３１１は固定部３１を下地４へ固定する固定具である。
【００３０】
前記固定部材３Ａを固定する下地４は、母屋などの躯体の上に木毛セメント板などからなる野地板とアスファルトルーフィングとを敷設してなる構成である。
【００３１】
前記外装材１Ａ，１Ａ間を覆うカバー材５は、図２（ｂ）に示すように略平坦状の上面部５１の左右の側縁を裏面側へ折り返して内側へ延在させた折返し部５２，５２と、該折返し部５２，５２から内側下方へ折り下げた傾斜面部５３，５３と、該傾斜面部５３，５３の下端にから内側へ略く字状に折曲した嵌合部５４，５４とからなる。
このカバー材５は、前記外装材１Ａ，１Ａの傾斜部１４，１４の内側に前記傾斜面部５３，５３が沿い、各外装材１Ａの導水部１５及び延在部１６で形成される隅部に、左右の前記嵌合部５４が弾性的に嵌合する状態で取り付けられる。
【００３２】
そして、前記各部材を用いて図１の縦葺き外装構造を施工するには、まず、第１の工程として、前記固定部材３Ａを下地４に固定する。この工程では、墨出しを行った後、短幅のピース材である固定部材３Ａを墨出し線に沿って下地４の適正な位置に取り付ける。図示実施例では、固定部材３Ａの左右に、該固定部材３Ａの高さとほぼ厚みの等しい断熱材６，６を敷設した。
【００３３】
次に、第２の工程として、固定した固定部材３Ａに前記排水部材２Ａを弾性変形した状態で取り付け保持させる。この工程では、まず図３（ａ）に示すように、下地４の所定位置に取り付けた固定部材３Ａの上方に排水部材２Ａを臨ませる。
続いて図３（ｂ）に示すように、排水部材２Ａの弾性変形部２３である側面部２１２，２１２を、左右から内側へ押圧した状態で、下方の固定部材３Ａへ落とし込む。この時、側面部２１２，２１２は、元の傾斜角度よりも垂直に近い状態になっているため、外側へ開こうとする力が働いている。詳しくは、固定部材３Ａには、側片３２，３２から内側に突出する爪状片である保持部３２１，３２１が設けられているため、この爪状片３２１，３２１の先端に側面部２１２，２１２が当接しながら排水部材２Ａを下方へ移動させる。
そして、固定部材３Ａの爪状片３２１，３２１に対し、下方へ移動させる排水部材２Ａの側面部２１２，２１２の上端まで至り、これを過ぎると、側面部２１２，２１２は元の傾斜角度に戻り、図３（ｃ）に示すように、被保持部２２である横片部２４，２４が保持部３２１，３２１に保持される状態となる。
【００３４】
続いて第３の工程として、前記排水部材２Ａと前記固定部材３Ａの少なくとも一方に設けた取付部分に、前記外装材１Ａを取り付ける。図示実施例では、前記排水部材２Ａの逆Ｖ字片部２５の下端が取付部分であり、この取付部分に外装材１Ａの導水部１５である取付部１７を弾性的に係合する。
なお、この外装材１Ａの配設に際し、係合にガタツキが生ずる場合には、前記第１の工程にて取り付けた固定部材３Ａを固着具３１１を軸として傾けるように微調整を行ってもよい。
【００３５】
その後に、前記カバー材５を、左右に隣接する外装材１Ａ，１Ａ間を覆うように取り付け、図１の縦葺き外装構造を施工する。詳しくは、前記外装材１Ａ，１Ａの傾斜部１４，１４の内側に前記カバー材５の傾斜面部５３，５３が沿い、各外装材１Ａの導水部１５及び延在部１６で形成される隅部に、カバー材５の左右の前記嵌合部５４，５４が弾性的に嵌合する状態で取り付けられ、上面部５１及び折返し部５２で外装材１Ａの溝部１３の上方を覆う構成である。
【００３６】
このように施工される本発明の縦葺き外装構造は、排水部材２Ａを弾性変形した状態で固定部材３Ａに取り付け保持させるので、下地４に固定した固定部材３Ａに対し、極めて容易に排水部材２Ａを取り付けることができ、施工作業性に優れている。具体的には、排水部材２Ａの弾性変形部２３（側面部２１２）を弾性に抗して変形させて固定部材３Ａの保持部（爪状片）３２１に被保持部２２（横片部２４）を保持させる。
しかも、接続に要する部材は、実質的に固定部材３Ａだけであるため、接続に要する部材の使用点数が少なく、しかも形状構成が簡易であるため、作製コストもかからない。
また、本発明の縦葺き外装構造の施工方法は、固定部材３Ａを固定する第１の工程も、排水部材２Ａを取り付ける第２の工程も、外装材１Ａを取り付ける第３の工程もそれぞれに極めて容易に行うことができるため、極めて施工作業性に優れている。
【００３７】
しかも図示実施例では、固定部材３Ａが、左右の側片３２，３２と、該側片３２，３２間に位置する下地４への固定部３１と、保持部３２１とを備えているため、固定箇所を中央一箇所とすることにより、固定箇所を少なくでき、さらには固定箇所（固定具３１１）を軸として傾けるように微調整できるため、外装材１Ａの取り付けに関してガタツキなどを解消することができる。
また、排水部材２Ａの弾性変形部２３が排水空間２１の側面部２１２であるため、余計な部材構成を増やさないので、構成が簡易である。なお、前述のように側面部２１２に限らず、前記底面部２１１も前記横片部２４も弾性変形部であるため、弾性変形される量や負担も複数に分担されることができ、その結果、設計も容易であり、材料（各部位）への負荷も軽減でき、取り付け作業にもほとんど力を要することがない。
また、排水部材２Ａの排水空間２１の底面部２１１の略中央には、上方へ湾曲する弧状部分２１３が形成されているため、前述のようにこの底面部２１１（弧状部分２１３）を弾性変形部とすることもできるし、固定部材３Ａの略中央を固着具３１１にて固定する際に、その固定具３１１の頭部を弧状部分２１３によって形成される空間内に収容することができる。
【００３８】
さらに、図示実施例では、外装材１Ａに溝部１３を設け、該溝部１３をカバー材５の上面部５１及び折り返し部５２で覆う構造であるため、外装材１Ａの面板部１１から導かれる雨水は、溝部１３内を流れ方向に流下し、該溝部１３の貯水能力を超える雨水を排水部材２Ａの排水空間２１に導いて流下させることができる。
【００３９】
図４に示す実施例Ｂの縦葺き外装構造は、外装材１Ｂについては下り段部及び溝部が設けられない以外は、前記実施例Ａとほぼ同様であり、排水部材２Ｂについては、逆Ｖ字片部を設ける代わりに横片部２４の内側に係止凸部２７を介して内側下方へ向いて下端を内側へ折り返した傾斜係止部２６を設けた構成である。この傾斜係止部２６の下端が取付部分となる。
固定部材３Ｂについては、側片３２，３２から内側に突出する爪状片を設ける代わりに側片３２，３２の上端から内側に略水平状に延在する横片３２２，３２２を設けて保持部とした。また、カバー材５Ｂについては、折返し部を設けることなく、上面部５１の左右側縁から傾斜面部５３，５３以下の構成が形成されるようにした。
上記以外の構成については、前記実施例Ａとほぼ同様であり、図面に同一符号を付して説明を省略する。
【００４０】
この実施例Ｂにおいて、第１〜第４の工程を施工するに際し、第１、第３、第４の工程については、前記実施例Ａとほぼ同様であるから説明を省略する。
また、第２の工程においても、図５（ａ）に示すように排水部材２Ｂを固定部材３Ｂの上方に臨ませ、図５（ｂ）に示すように弾性変形部２３である側面部２１２，２１２を左右から内側へ押圧した状態で下方の固定部材３Ｂへ落とし込む点は同様であり、固定部材３Ｂの保持部３２２を前述のように横片に変更したに過ぎないから、この横片３２２，３２２の先端に側面部２１２，２１２を当接させながら排水部材２Ｂを下方へ移動させる。
そして、固定部材３Ｂの横片３２２，３２２に対し、下方へ移動させる排水部材２Ｂの側面部２１２，２１２の上端まで至り、これを過ぎると、図５（ｃ）に示すように側面部２１２，２１２は元の傾斜角度に戻り、被保持部２２である横片部２４，２４が保持部３２２，３２２に保持される状態となる。なお、保持部３２２，３２２の先端は、係止凸部２７，２７の内側基部に当接する状態で保持されるものとなる。
【００４１】
この実施例Ｂでも前記実施例Ａと同様に、排水部材２Ｂを弾性変形した状態で固定部材３Ｂに取り付け保持させるので、下地４に固定した固定部材３Ｂに対し、極めて容易に排水部材２Ｂを取り付けることができ、施工作業性に優れている。具体的には、排水部材２Ｂの弾性変形部２３（側面部２１２）を弾性に抗して変形させて固定部材３Ｂの保持部（横片）３２２に被保持部２２（横片部２４）を保持させることができる。
【００４２】
図６に示す実施例Ｃの縦葺き外装構造は、外装材１Ｃについては下り段部が設けられない以外は、前記実施例Ａに用いた外装材１Ａとほぼ同様であり、排水部材２Ｃについても、前記実施例Ａに用いた排水部材２Ａとほぼ同様である。
固定部材３Ｃについても、前記実施例Ａに用いた固定部材３Ａとほぼ同様であるが、側片３２，３２の上端から外側に向かって略水平状に延在する横片３２３，３２３が形成されている。また、カバー材５Ｃについても、前記実施例Ａに用いたカバー材５Ａとほぼ同様であるが、前述のように外装材１Ｃに下り段部が設けられないため、上面部５１及び折返し部５２，５２が短く、且つ外側下方へ傾斜状に形成されて敷設状態において溝部１３を覆うように形成されている。
上記以外の構成については、前記実施例Ａ，Ｂとほぼ同様であり、図面に同一符号を付して説明を省略する。
【００４３】
この実施例Ｃにおいても、第１〜第４の工程を施工するに際し、第１、第３、第４の工程については、前記実施例Ａ，Ｂとほぼ同様であるから説明を省略する。
また、第２の工程も全く同様であり、図７（ａ）に示すように排水部材２Ｃを固定部材３Ｃの上方に臨ませ、図７（ｂ）に示すように弾性変形部２３である側面部２１２，２１２を左右から内側へ押圧した状態で下方の固定部材３Ｃへ落とし込み、固定部材３Ｃの保持部である爪状片３２１，３２１の先端に側面部２１２，２１２を当接させながら排水部材２Ｃを下方へ移動させ、固定部材３Ｃの爪状片３２１，３２１に対し、下方へ移動させる排水部材２Ｃの側面部２１２，２１２の上端まで至り、これを過ぎると、側面部２１２，２１２は元の傾斜角度に戻り、被保持部２２である横片部２４，２４が保持部３２１，３２１に保持される状態となる。
【００４４】
この実施例Ｃでも前記実施例Ａ，Ｂと同様に、排水部材２Ｃを弾性変形した状態で固定部材３Ｃに取り付け保持させるので、下地４に固定した固定部材３Ｃに対し、極めて容易に排水部材２Ｃを取り付けることができ、施工作業性に優れている。具体的には、排水部材２Ｃの弾性変形部２３（側面部２１２）を弾性に抗して変形させて固定部材３Ｃの保持部（爪状片）３２１に被保持部２２（横片部２４）を保持させる。
【００４５】
但し、この実施例Ｃでは、前記実施例Ａのように外装材１Ｃに下り段部が設けられていないので、溝部１３への雨水の流入が生じ易い。言い換えれば、前記実施例Ａでは、外装材１Ａに下り段部１２が設けられ、カバー材５Ａの上面部５１及び折り返し部５２の外側端部が重合状に臨んでいるため、少なくとも下り段部が形成されていない実施例Ｃに比べて雨水を溝部１３に流入させ難い。また、前記実施例Ａは、上述のようにカバー材５Ａの上面部５１及び折り返し部５２の外側端部が下り段部１２上に重合状に臨んでいるため、この実施例Ｃに比べて強風の吹き付けなどに対する耐久性にも強いものとなる。
【００４６】
図８に示す実施例Ｄの縦葺き外装構造は、外装材１Ｄについては下り段部及び溝部が設けられない以外は、前記実施例Ａとほぼ同様であり、排水部材２Ｄについては、逆Ｖ字片部を設ける代わりに内側下方へ向いて下端を内側へ折り返した傾斜係止部２６を設けた構成である。この傾斜係止部２６の下端が取付部分となる。
固定部材３Ｄについては、側片３２，３２から内側に突出する爪状片を設ける代わりに側片３２，３２の上端から内側に略水平状に延在する横片３２２，３２２を設けて保持部とした。また、カバー材５Ｄについては、折返し部を設けることなく、上面部５１の左右側縁から傾斜面部５３，５３以下の構成が形成されるようにした。
上記以外の構成については、前記実施例Ａとほぼ同様であり、図面に同一符号を付して説明を省略する。
【００４７】
この実施例Ｄにおいて、第１〜第４の工程を施工するに際し、第１、第３、第４の工程については、前記実施例Ａ〜Ｃとほぼ同様であるから説明を省略する。
また、第２の工程においても、排水部材２Ｄを弾性変形部２３である側面部２１２，２１２を左右から内側へ押圧した状態で下方の固定部材３Ｄへ落とし込む点は同様であり、さらに前記実施例Ｂと同様に、固定部材３Ｄの保持部３２２を前述のように横片に変更したに過ぎないから、この横片３２２，３２２の先端に側面部２１２，２１２を当接させながら排水部材２Ｄを下方へ移動させる。
そして、固定部材３Ｄの横片３２２，３２２に対し、下方へ移動させる排水部材２Ｄの側面部２１２，２１２の上端まで至り、これを過ぎると、側面部２１２，２１２は元の傾斜角度に戻り、被保持部２２である横片部２４，２４が保持部３２２，３２２に保持される状態となる。
【００４８】
この実施例Ｄでも前記実施例Ａ〜Ｃと同様に、排水部材２Ｄを弾性変形した状態で固定部材３Ｄに取り付け保持させるので、下地４に固定した固定部材３Ｄに対し、極めて容易に排水部材２Ａを取り付けることができ、施工作業性に優れている。具体的には、排水部材２Ｄの弾性変形部２３（側面部２１２）を弾性に抗して変形させて固定部材３Ｄの保持部（横片）３２２に被保持部２２（横片部２４）を保持させる。
【００４９】
図９に示す実施例Ｅの縦葺き外装構造は、外装材１Ｅについては下り段部及び溝部が設けられない以外は、前記実施例Ａ〜Ｄとほぼ同様であり、排水部材２Ｅについては、前記実施例Ｄと同様に内側下方へ向いて下端を内側へ折り返した傾斜係止部２６を設けた構成である。この傾斜係止部２６の下端が取付部分となる。また、弧状部分２１３が底面部２１１の一部のみに形成されているものではなく全体に及んでいる。
固定部材３Ｅについては、前記実施例Ｄと同様に側片３２，３２の上端から内側に略水平状に延在する横片３２２，３２２を設けて保持部とした。また、カバー材５Ｅについても、前記実施例Ｄと同様に、上面部５１の左右側縁から傾斜面部５３，５３以下の構成が形成されるようにした。
上記以外の構成については、前記実施例Ａ〜Ｄとほぼ同様であり、図面に同一符号を付して説明を省略する。
【００５０】
この実施例Ｅにおいても、第１〜第４の工程を施工するに際し、第１、第３、第４の工程については、前記実施例Ａ〜Ｄとほぼ同様であるから説明を省略する。
また、第２の工程においても、排水部材２Ｅを弾性変形部２３である側面部２１２，２１２を左右から内側へ押圧した状態で下方の固定部材３Ｅへ落とし込む点は同様であり、さらに前記実施例Ｂと同様に、固定部材３Ｅの保持部である横片３２２，３２２の先端に側面部２１２，２１２を当接させながら排水部材２Ｅを下方へ移動させる。
そして、固定部材３Ｅの横片３２２，３２２に対し、下方へ移動させる排水部材２Ｅの側面部２１２，２１２の上端まで至り、これを過ぎると、側面部２１２，２１２は元の傾斜角度に戻り、被保持部２２である横片部２４，２４が保持部３２２，３２２に保持される状態となる。
【００５１】
この実施例Ｅでも前記実施例Ａ〜Ｄと同様に、排水部材２Ｅを弾性変形した状態で固定部材３Ｅに取り付け保持させるので、下地４に固定した固定部材３Ｅに対し、極めて容易に排水部材２Ｄを取り付けることができ、施工作業性に優れている。具体的には、排水部材２Ｅの弾性変形部２３（側面部２１２）を弾性に抗して変形させて固定部材３Ｅの保持部（横片）３２２に被保持部２２（横片部２４）を保持させる。
【符号の説明】
【００５２】
１Ａ〜１Ｅ  外装材
１１  面板部
１２  下り段部
１３  溝部
１４  傾斜部
１５  導水部
１６  延在部
１７  取付部
２Ａ〜２Ｅ  排水部材
２１  排水空間
２１１  底面部
２１２  側面部
２１３  弧状部分
２２  被保持部
２３  弾性変形部
２４  横片部
２５  逆Ｖ字片部（取付部分）
２６  傾斜係止部（取付部分）
２７  係止凸部
３Ａ〜３Ｅ  固定部材
３１  底片（固定部）
３１１  固定具
３２  側片
３２１  保持部（爪状片）
３２２  保持部（横片）
４  （屋根）下地
５Ａ〜５Ｅ  カバー材
５１  上面部
５２  折返し部
５３  傾斜面部
５４  嵌合部
６  断熱材
【図１】
2010281172.tif 000003
【図２】
2010281172.tif 000004
【図３】
2010281172.tif 000005
【図４】
2010281172.tif 000006
【図５】
2010281172.tif 000007
【図６】
2010281172.tif 000008
【図７】
2010281172.tif 000009
【図８】
2010281172.tif 000010
【図９】
2010281172.tif 000011